(57)【要約】【課題】ベッド形から椅子形への転換を容易に行える簡易構造の椅子兼用ベッドの提供。【解決手段】背部レスト６１、大腿部レスト６２、下腿部レスト６３、及び足部レスト６４を屈曲自在に連結して床板フレーム６を構成する。背部レスト６１はその裏面側に固着される作動板６６を架台１に回転自在に結合して該架台上で上下方向に旋回可能に支持され、足部レスト６４はヒンジ部材６９を介して架台１に連結される。大腿部レスト６２は連接杆８を介して架台１に連結され、背部レスト６１が上方旋回されるとき連接杆８により大腿部レスト６２の一端側が押し上げられて該大腿部レスト６２と下腿部レスト６３との連結部分が上方に向け凸状に折れ曲がる。背部レスト６１が定位置まで起き上がった状態では、大腿部レスト６２が架台１上で水平状に支持され、大腿部レスト６２の下方位置で足部レスト６４が下腿部レスト６３の裏側に折り畳まれる。【選択図】図１
2008073420.tif 000002
【特許請求の範囲】
【請求項１】
架台上にフラットな状態から椅子形に屈曲可能な床板フレームを設けた椅子兼用ベッドにおいて、
前記床板フレームは、その長さ方向一端側から順に背部レスト、大腿部レスト、下腿部レスト、及び足部レストに区分されると共に、それら各レストの隣り合うもの同士が屈曲自在に連結され、その床板フレームをフラット状態に展開したときには少なくとも大腿部レストと下腿部レストと足部レストが架台により支持され、
前記背部レストは、その裏面側に固着される作動板の部位を前記架台の部位に回転自在に結合して該架台上で上下方向に旋回可能に支持され、
前記大腿部レストは、前記下腿部レストとの連結側が連接杆を介して前記架台の部位に連結され、
前記足部レストは、前記下腿部レストとは反対側の端部がヒンジ部材を介して前記架台の上端部に連結され、
前記背部レストが上方旋回されるとき、その旋回動作に連動する前記連接杆により前記大腿部レストの一端側が押し上げられて該大腿部レストと下腿部レストとの連結部分が上方に向け凸状に折れ曲がり、
前記背部レストが定位置まで起き上がった状態では、前記大腿部レストが架台上で水平状に支持されると共に、該大腿部レストの下方位置で前記足部レストが下腿部レストの裏側に折り畳まれることを特徴とする椅子兼用ベッド。
【請求項２】
前記架台は、前記床板フレームの長さ方向に往復移動可能な可動フレームと該可動フレームを往復移動させるための駆動源を装備したベースフレームとを有し、そのベースフレームに前記作動板の部位が結合されると共に、前記可動フレームに前記連接杆および前記ヒンジ部材の部位がそれぞれ結合され、
前記作動板と前記可動フレームは、該可動フレームの往復移動動作と前記背部レストの旋回動作が連動するよう伝動リンクで連結されることを特徴とする請求項１記載の椅子兼用ベッド。
【請求項３】
前記架台は、昇降可能な可動フレームと該可動フレームを昇降させるための駆動源を装備したベースフレームとを有し、そのベースフレームに前記作動板の部位が結合されると共に、前記可動フレームに前記連接杆および前記ヒンジ部材の部位がそれぞれ結合され、
前記可動フレームは、その昇降動作と前記背部レストの旋回動作が連動するよう前記作動板を含むリンク機構を介してベースフレームに昇降可能に保持されることを特徴とする請求項１記載の椅子兼用ベッド。
【請求項４】
大腿部レストに開閉自在な開口部が形成されると共に、架台には床板フレームが椅子形に屈曲したとき前記開口部に対応する位置に便器が設けられることを特徴とする請求項１〜３のいずれかに記載の椅子兼用ベッド。
【発明の詳細な説明】
【技術分野】
【０００１】
本発明は、主に身障者や病弱な高齢者などの要介護者を対象とするベッドに係わり、特に要介護者が身体機能を回復するために自立歩行することを支援する椅子兼用ベッドに関する。
【背景技術】
【０００２】
一般に、身障者や病弱な高齢者をはじめ、術後の入院患者などは床内での生活を余儀なくされるが、寝たきりの時間が長くなると身体機能の低下が進行するので、筋力の衰えを回復させたり、大脳に刺激を与えたりするためには歩行訓練が極めて有効であるとされている。
【０００３】
しかし、身体に大きな機能障害を抱えた者では、自ら起き上がることはできないし、食事や排泄などの際にも身内や専門の介護士による介護を必要とする。
【０００４】
従来、そのような要介護者を対象として、マットレスを載せる床板フレームがフラットな状態から椅子形に転換するようにした種々の椅子兼用ベッドが提案されている。
【０００５】
例えば、その種のベッドとして、ベッドのサイドフレーム間にその長手方向に沿って往復動する台車を設け、その台車に背床、腰床、及び２分割された足床の一方を屈曲自在に連結して取り付け、前記背床にこれを押し上げる背上げ駆動部を取り付けると共に、前記サイドフレームに前記足床の他方を上下動させる昇降機構を設け、前記腰床に前記台車を定位置に保持する係止機構を設けたものが知られている（例えば、特許文献１）。
【０００６】
又、４つの平板を屈曲自在に連結し、２つの平板をそれぞれ背部および座部とする車椅子の形態に転換するようにしたベッドで、座部となる平板に「く」の字形をした前後一組のアームを左右に一組ずつ取り付け、その各一端にローラを設けるなどしたものが提案されている（例えば、特許文献２）。
【０００７】
更に、要介護者が立ち上がる際の負担を軽減する介護用ベッドとして、背部フレームと座部フレームと下腿部フレームとを含む折り曲げ可能な床フレーム体を備え、その床フレーム体がフラットな状態から椅子形に折れ曲がった状態に変化し、椅子形に折れ曲がった状態では下腿部フレームから切り離された独立状態の足部フレームが座部フレームの下方に位置して要介護者の足が着地するようにしたものが知られる（例えば、特許文献３）。
【０００８】
【特許文献１】実開平３−６３３２９号公報
【０００９】
【特許文献２】実開昭６１−１３６７２０号公報
【特許文献３】実開平６−６４６３５号公報
【発明の開示】
【発明が解決しようとする課題】
【００１０】
然しながら、特許文献１のベッドでは、背部レスト（背床）を押し上げる背上げ駆動部のほか、足部レスト（他方の足床）を上下動するための昇降機構を有し、それらを別個のアクチュエータで駆動させるようにしているので、操作が煩わしくコスト高になり、しかも椅子形に転換するときには介護者が台車のロックを解除してから背部レストを押し込んでやらねばならないという不便がある。
【００１１】
又、特許文献２によれば、車椅子の状態にしたとき、背部レスト（平板４）がその裏面に固着したストッパー杆（５０）のみで支持される構成であるから安定性に劣り、しかも車椅子の形態では足部レスト（足載せ板８）が文字通り水平方向に突出するので、立ち上がる際にはその足部レストが障害になるという問題がある。
【００１２】
この点、特許文献３によれば、足部レスト（足部フレーム）が大腿部レスト（座部フレーム）の下方に位置するので、立ち上がる際には足部レストが障害とならないが、係る足部レストは平行リンクにより支持される構成であるから、ベッド形の状態では足部レストの支持強度を得難く、椅子形にするときには下腿部レスト（下腿部フレーム）の下方に足部レストを潜り込まれるスペースが必要となるので、座面高さを必然的に高くせざるを得ず、その関係から椅子形にして足が宙吊りになる可能性が高い。
【００１３】
又、特許文献３も足部レストと背部レストの動作が個別に行われるのでベッド形から椅子形への転換が困難となる。
【００１４】
本発明は以上のような事情に鑑みて成されたものであり、その目的はベッド形から椅子形への転換を容易に行え、椅子形に転換したときには足を着地させることのできる簡易構造の椅子兼用ベッドを提供することにある。
【課題を解決するための手段】
【００１５】
本発明は上記目的を達成するため、
架台上にフラットな状態から椅子形に屈曲可能な床板フレームを設けた椅子兼用ベッドにおいて、
前記床板フレームは、その長さ方向一端側から順に背部レスト、大腿部レスト、下腿部レスト、及び足部レストに区分されると共に、それら各レストの隣り合うもの同士が屈曲自在に連結され、その床板フレームをフラット状態に展開したときには少なくとも大腿部レストと下腿部レストと足部レストが架台により支持され、
前記背部レストは、その裏面側に固着される作動板の部位を前記架台の部位に回転自在に結合して該架台上で上下方向に旋回可能に支持され、
前記大腿部レストは、前記下腿部レストとの連結側が連接杆を介して前記架台の部位に連結され、
前記足部レストは、前記下腿部レストとは反対側の端部がヒンジ部材を介して前記架台の上端部に連結され、
前記背部レストが上方旋回されるとき、その旋回動作に連動する前記連接杆により前記大腿部レストの一端側が押し上げられて該大腿部レストと下腿部レストとの連結部分が上方に向け凸状に折れ曲がり、
前記背部レストが定位置まで起き上がった状態では、前記大腿部レストが架台上で水平状に支持されると共に、該大腿部レストの下方位置で前記足部レストが下腿部レストの裏側に折り畳まれることを特徴とする。
【００１６】
加えて、前記架台は、前記床板フレームの長さ方向に往復移動可能な可動フレームと該可動フレームを往復移動させるための駆動源を装備したベースフレームとを有し、そのベースフレームに前記作動板の部位が結合されると共に、前記可動フレームに前記連接杆および前記ヒンジ部材の部位がそれぞれ結合され、
前記作動板と前記可動フレームは、該可動フレームの往復移動動作と前記背部レストの旋回動作が連動するよう伝動リンクで連結されることを特徴とする。
【００１７】
又、前記架台は、昇降可能な可動フレームと該可動フレームを昇降させるための駆動源を装備したベースフレームとを有し、そのベースフレームに前記作動板の部位が結合されると共に、前記可動フレームに前記連接杆および前記ヒンジ部材の部位がそれぞれ結合され、
前記可動フレームは、その昇降動作と前記背部レストの旋回動作が連動するよう前記作動板を含むリンク機構を介してベースフレームに昇降可能に保持されることを特徴とする。
【００１８】
更に、大腿部レストに開閉自在な開口部が形成されると共に、架台には床板フレームが椅子形に屈曲したとき前記開口部に対応する位置に便器が設けられることを特徴とする。
【発明の効果】
【００１９】
本発明によれば、床板フレームを構成する背部レスト、大腿部レスト、下腿部レスト、及び足部レストがフラットな状態から椅子形に屈曲自在に連結されるほか、背部レストがその裏面側に固着される作動板を介して架台に連結されて該架台上で上下方向に旋回自在に支持され、更に大腿部レストが連接杆を介して架台の部位に連結されると共に、足部レストがヒンジ部材を介して架台の上端部に連結されることから、単一の駆動源で床板の屈曲動作を同調的に行うことができる。
【００２０】
又、床板フレームがフラット状態に展開したときには少なくとも大腿部レストと下腿部レストと足部レストが架台により支持され、背部レストが定位置まで起き上がった椅子形の状態では、大腿部レストが架台上で水平状に支持されるので、耐荷重性が高く安全であり、しかも椅子形では大腿部レストの下方位置で足部レストが下腿部レストの裏側に折り畳まれることから、着座者が立ち上がる際に足部レストが障害にならない。
【００２１】
又、大腿部レストが連接杆を介して架台の部位に連結され、背部レストが上方旋回されるとき、その旋回動作に連動する連接杆により大腿部レストの一端側が押し上げられて該大腿部レストと下腿部レストとの連結部分が上方に向け凸状に折れ曲がる構成とされることから、椅子形への転換中に横臥者の臀部が足元側に押し出されてしまうことがなく、横臥者は大腿部レストと下腿部レストに沿って下肢を折り曲げて楽な姿勢をとることができる。
【００２２】
加えて、架台が床板フレームの長さ方向に移動可能な可動フレームを具備して構成されることから、背部レストの旋回半径を小さくしながら床板フレーム全体を椅子形に屈曲させることができ、しかも可動フレームで足部レストを背部レスト側に引っ張って椅子形への転換中に下腿部レストや足部レストや水平方向に大きく張り出すことを防止できる。
【００２３】
一方、架台が背部レストの旋回動作に連動して昇降する可動フレームを具備するものでは、介護者が腰を曲げずに横臥者の介護を行えるようフラット状態に展開された床板フレームの高さを大きくしながら、椅子形への転換時に座部となる大腿部レストを下げて着座者の足を床面に着地させることが可能となる。
【００２４】
又、大腿部レストに開閉自在な開口部が形成されると共に、架台には床板フレームが椅子形に屈曲したとき開口部に対応する位置に便器が設けられることから、歩行障害者でもその場で排便を行うことができる。
【発明を実施するための最良の形態】
【００２５】
以下、図面に基づいて本発明を詳しく説明する。図１は本発明に係る椅子兼用ベッドを示した側面図である。図１において、１は架台であり、この架台１はベースフレーム２と可動フレーム３とで構成される。
【００２６】
ベースフレーム２は、複数の鋼材を接合するなどして構成される剛体であり、その前後左右には支持脚２１が固着され、前後方向に延びる左右一対のサイドビーム２２には支柱２３が固着される。又、図２および図３から明らかなように、ベースフレーム２には、サイドビーム２２の内側で左右一対のガイドレール２４が平行に設けられると共に、その両ガイドレール２４上には左右一対のブラケット２５が形成され、そのブラケット２５により後述する旋回アーム４の一端が回転自在に支持されるようになっている。更に、図１に示すように、ベースフレーム２の長さ方向一端部には、可動フレーム３を所定の一軸方向に沿って往復移動させるための駆動源として、モータ駆動式のシリンダ装置５が設置される。尚、シリンダ装置５は油圧シリンダでも空気圧シリンダでもよい。
【００２７】
一方、図１および図４〜図５に示すように、可動フレーム３も複数の鋼材を接合するなどして構成される剛体であり、その下部にはベースフレーム２のガイドレール２４に係合する移動用のローラ３１が装着される。そして、係る可動フレーム３には図１のようにシリンダ装置５の伸縮ロッド部５１が接続され、その伸縮動作により可動フレーム３がベースフレーム２内でその長さ方向（ガイドレール２４）に沿って往復移動するようになっている。尚、図４および図５において、３２は可動フレーム３に固着した結合ピンである。
【００２８】
又、図１において、６は架台１上に配置される平板状の床板フレームである。この床板フレーム６は、横臥者の上半身を支持するための背部レスト６１、横臥者の臀部乃至は大腿部を支持するための大腿部レスト６２、横臥者の下腿部を支持するための下腿部レスト６３、及び横臥者の足部を支持するための足部レスト６４に区分され、それら各レスト６１〜６４の隣り合うもの同士が屈曲自在に連結されている。尚、背部レスト６１と大腿部レスト６２は、その両者６１，６２の側縁から立ち上がるヒンジ６５Ａにより連結されて下向きに凸状となる谷折状態に屈曲可能とされる一方、大腿部レスト６２と下腿部レスト６３、及び下腿部レスト６３と足部レスト６４は、それぞれヒンジ６５Ｂ，６５Ｃにより連結されて上向きに凸状となる山折状態に屈曲可能とされている。
【００２９】
そして、その各レスト６１〜６４の表面上には、４分割されたマットレスＭ１〜Ｍ４が個別に取り付けられ、そのマットレスＭ１〜Ｍ４上に横臥者が横臥できるようになっている。
【００３０】
ここで、背部レスト６１の裏面には、大腿部レスト６２の下方位置まで延びる左右一対の作動板６６が固着され、その作動板６６，６６の間には、図６および図７で明らかなように溝形のガイドレール６７が固着されている。
【００３１】
図１に示されるように、ガイドレール６７内にはローラ４１が回転自在に嵌め込まれ、そのローラ４１が上記旋回アーム４の先端に回転自在に支持されている。又、作動板６６の中間部分は、ベースフレーム２を構成する支柱２３の上端部に回転自在に結合されている。これにより、背部レスト６１は作動板６６とベースフレーム２との結合部Ｐ１を中心に上下方向に旋回（起伏）可能にして支持される。又、作動板６６の先端部６６Ａは、該作動板６６とベースフレーム２との結合部Ｐ１より下方にあって、可動フレーム３の前部（横臥者のヘッド側にある上記結合ピン３２）と伝動リンク７で連結される。
【００３２】
伝動リンク７は、可動フレーム３の移動方向に対して若干傾斜し、作動板６６に結合する一端側が他端側よりも低くなるように設定されており、これによりシリンダ装置５を駆動して可動フレーム３を図１の右方に移動させると、作動板の先端部６６Ａに伝動リンク７による引張力が作用し、以って作動板６６が結合部Ｐ１を中心に揺動するために背部レスト６１の上方旋回が行われ、逆に可動フレーム３を図１の左方に移動させれば、伝動リンク７による作動板の先端部６６Ａの押圧により背部レスト６１の下方旋回が行われる。
【００３３】
尚、背部レスト６１が下方旋回して図１のように水平状態に倒伏したときには、その裏面がベースフレーム２の一端部上に配される背受け部２６に当って背部レスト６１が水平状態に維持されるようになっているが、背受け部２６に代えて図示せぬ脚体を背部レスト６１の裏面に直角に固着し、背部レスト６１の倒伏時にその脚体がベースフレーム２の上面上もしくは床面上に直立して背部レスト６１を支持する構成としてもよい。
【００３４】
又、シリンダ装置５は、その伸縮ロッド部５１を可動フレーム３に接続することに限らず、両端クレビス形のシリンダ装置５にして、これをベースフレーム２と旋回アーム４又は背部レスト６１の裏面との間に架設するようにしてもよく、この場合でも背部レスト６１を旋回させながら可動フレーム３の移動を行うことができる。
【００３５】
一方、床板フレーム６を図１のようにフラットな状態に展開してベッド形にしたとき、大腿部レスト６２、下腿部レスト６３、及び足部レスト６４は架台１を構成する可動フレーム３により支持される。
【００３６】
このうち、大腿部レスト６２は、下腿部レスト６３との連結側（ヒンジ６５Ｂ側）が連接杆８を介して可動フレーム３の後部（横臥者の足元側）に連結される。尚、図１において、６８は大腿部レスト６２の裏面に固着したブラケットで、そのブラケット６８に連接杆８の一端が回転自在に結合されている。又、下腿部レスト６３は、大腿部レスト６２と足部レスト６４との間でその両者６２，６４に連結されるのみで架台１とは連結されず、足部レスト６４は、下腿部レスト６３とは反対側の端部がヒンジ部材６９を介して可動フレーム３の上端部に連結されている。
【００３７】
しかして、以上のように構成される椅子兼用ベッドでは、シリンダ装置５を駆動して可動フレーム３を図１の右方に移動させることにより、床板フレーム６が図１のようなフラット状に展開したベッド形から椅子形に転換するが、その動作説明は後述する。
【００３８】
次に、図８は可動フレームを部分的に拡大して示す。この図で明らかなように、可動フレーム３にはトリガーレバー３３が取り付けられている。トリガーレバー３３は連接杆８に確定運動を行わせるためのものであり、その一端部は可動フレーム３に回転自在に結合され、他端には直角に切り欠かれた凹部３３Ａが形成される。そして、そのトリガーレバー３３は、可動フレーム３との結合部Ｐ２を中心に上下に揺動可能とされており、凹部３３Ａでは連接杆８と大腿部レスト６２との結合部と同心のピンＰ３が支持される。尚、ピンＰ３にはローラ９が装着され、そのローラ９は可動フレーム３の内側面に形成される受座３４により支持される。又、トリガーレバー３３の支点側の一端には突片３３Ｂが形成され、その突片３３Ｂと可動フレーム３との間にはトリガーレバー３３に図８の反時計回りの付勢力を与えるためのバネ３５が掛けられる。更に、図８から明らかなように、連接杆８は、可動フレーム３との結合側の一端に長孔８Ａを有し、その長孔８Ａにより長さ方向への移動を許容されている。
【００３９】
そして、以上のようなトリガーレバー３３によれば、図１に示した背部レスト６１の上方旋回が開始されたとき、横臥者による上方からの荷重に抵抗して大腿部レスト６２を押し上げ、連接杆８に上方旋回する切掛けを与えることができる。
【００４０】
次に、図９は足部レストと可動フレームとの連結部分を拡大して示す。この図で明らかなように、可動フレーム３の一端上部にはブラケット３６が取り付けられ、そのブラケット３６によりヒンジ部材６９の一端部が回転自在に支持されている。ヒンジ部材６９は、先端側が折れ曲がった金属板でなり、その先端部は足部レスト６４の裏面に固着したブラケット６４Ａに回転自在に結合されている。これにより、足部レスト６４は、ヒンジ部材６９との結合部Ｐ４を中心に上下に揺動可能とされ、且つヒンジ部材６９と可動フレーム３との結合部Ｐ５を中心に上下に揺動可能とされるが、図９に示すようなヒンジ部材６９に代えて、ブラケット６４Ａに軸を装着する一方、可動フレーム３に前記軸の移動案内をする長孔を形成するようにしてもよい。
【００４１】
ここで、以上のように構成される本願ベッドの動作説明をする。図１０は床板フレームが椅子形に転換する状態を順に示したリンク系の動作図で、黒丸は位置固定の回転支点、白丸は移動支点を表している。
【００４２】
図１０から明らかなように、床板フレーム６が椅子形に転換するとき、背部レスト６１は図１に示したベースフレーム２と作動板６６との結合部Ｐ１（回転支点）を中心に上方旋回し、最終的に直立状態まで起き上がる。尚、背部レスト６１が倒伏した状態では図１のように作動板６６とベースフレーム２との結合部Ｐ１（図１０において黒丸で表される回転支点）がヒンジ６５Ａの位置よりも大腿部レスト６２側にあるため、背部レスト６１の上方旋回が開始されると、これにヒンジ６５Ａで連結される大腿部レスト６２はヒンジ６５Ａ側が背部レスト６１により引き上げられ、これに相前後して大腿部レスト６２のヒンジ６５Ｂ側も図８に示したトリガーレバー３３の作用で押し上げられる。このため、連接杆８は、可動フレーム３との結合部を中心とする上方旋回の切掛けを得て（つまり思案点を脱し）、背部レスト６１から大腿部レスト６２を介して上方旋回力を与えられる。しかして、連接杆８の上方旋回により、大腿部レスト６２のヒンジ６５Ｂ側がヒンジ６５Ａ側より上方に大きく押し上げられるために、背部レスト６１の上方旋回中に大腿部レスト６２と下腿部レスト６３との連結部分（ヒンジ６５Ｂ）が図１０(ａ)〜(ｂ)に示されるよう上方に向け凸状に折れ曲がる。このため、床板フレーム６上の横臥者はその大腿部が足元側にずれず、しかも大腿部と下腿部が大腿部レスト６２と下腿部レスト６３に支持されたまま折れ曲がるので無理な姿勢を強いられない。
【００４３】
又、背部レスト６１の上方旋回の続行により連接杆８が直立状態から倒伏状態に移行すると、大腿部レスト６２が下腿部レスト６３側に押し出されつつ徐々に降下される。
【００４４】
一方、可動フレーム３が図１０の右方に移動することにより、同方向に足部レスト６４が引かれ、これに連結する下腿部レスト６３を図１０の左回りに旋回させる。それ故、下腿部レスト６３と足部レスト６４は徐々に二つ折りにされ、背部レスト６１が定位置（略直立に起立した状態）まで起き上がった状態では、図１０(ｄ)のように大腿部レスト６２が架台上で水平状に支持されると共に、その大腿部レスト６２の下方位置で足部レスト６４が下腿部レスト６３の裏側に折り畳まれる。尚、床板フレーム６が椅子形に屈曲した状態では、下腿部レスト６３が大腿部レスト６２に対して直角になるようにしてもよいが、本例によれば図１０(ｄ)のように水平となった大腿部レスト６２に対し、下腿部レスト６３が鋭角状に屈曲して大腿部レスト６２上における着座者が下肢（脚部）を鋭角状に折り曲げて大腿部レスト６２の下方位置で足を着地させることを許容されるのであり、このため着座者は身体の重心を前方に移して介護人の助けを借りずに自力で立ち上がることが可能となる。
【００４５】
特に、大腿部レスト６２には、図示せぬ蓋により開閉自在とされる開口部が形成されると共に、架台を構成するベースフレーム２には床板フレーム６が椅子形に屈曲したとき上記開口部に対応する位置に図示せぬ便器が設けられる。このため、椅子形に転換したときには、大腿部レスト６２上に配置されるマットレスＭ２を上記蓋と一緒に排除して排便を行うことができる。
【００４６】
以上、本発明に係る椅子兼用ベッドの一例を説明したが、架台１はベースフレーム２と可動フレーム３とが一体的に固定された構造であってもよく、そのような可動部をもたない架台でも床板フレーム６をフラットな状態から椅子形に屈曲可能に支持することができる。
【００４７】
次に、本発明に係る椅子兼用ベッドの変更例について説明する。図１１は床板フレームがフラット状態に展開されたベッド形の形態、図１２は床板フレームが椅子形に転換された状態を示す。尚、図１１及び図１２において、上記例と変更なき部分には同一符号を付して詳細な説明を省略する。
【００４８】
ここに、１０は架台である。この架台１０は凹字形の断面を有するベースフレーム２０とその内側に配される可動フレーム３０とで構成され、その可動フレーム３０がリンク機構４０を介して所望の位置に配置固定されるベースフレーム２０で昇降可能に保持されている。リンク機構４０は、背部レスト６１の裏面に固着される左右一対の作動板４２と、Ｖ字形を成す左右一対の揺動リンク４３とを有し、その両者４２，４３が連動リンク４４により連結される構成となっている。本例において、作動板４２の先端部分はＶ字形に屈曲されて大腿部レスト６２の下方位置まで延ばされており、その作動板４２と揺動リンク４３の屈曲部分４２Ａ，４３Ａはベースフレーム２０に回転自在に結合され、それらの一端部４２Ｂ，４３Ｂは可動フレーム３０の側面下部に回転自在に結合されている。
【００４９】
一方、可動フレーム３０と大腿部レスト６２は、上記例と同じく左右一対の連接杆８を介して連結され、足部レスト６４の一端部はヒンジ部材Ｈを介して可動フレーム３０の左右上端部に連結されている。
【００５０】
尚、本例において、ヒンジ部材Ｈは足部レスト６４の幅方向に沿って該足部レスト６４の裏面側に取り付けた横架軸６４Ｂを備え、その横架軸６４Ｂが可動フレーム３０の一端部上方に形成した長孔３０Ａで支持される構成とされる。
【００５１】
又、背部レスト６１にはその裏面に直交して脚体６１Ａが固着され、背部レスト６１の倒伏時にその脚体６１Ａがベースフレーム２０から外れた位置で床面上に直立して背部レスト６１を水平状に支持する構成とされている。
【００５２】
更に、ベースフレーム２０には、両端クレビス形とされるシリンダ装置５が揺動自在に取り付けられ、その伸縮ロッド部５１が左右一対の作動板４２に架設される軸の中央部に接続されている。
【００５３】
そして、係る椅子兼用ベッドによれば、シリンダ装置５の伸縮動作により背部レスト６１が上下方向に旋回し、その旋回動作に連動して可動フレーム３０の昇降動作が行われ、背部レスト６１が上方旋回されたときには可動フレーム３０が降下されつつ床板フレーム６の屈曲が行われて図１２のような椅子形となる。尚、本例でも背部レスト６１が定位置まで起き上がって椅子形になった状態では、大腿部レスト６２が架台１０上で水平状に支持されると共に、該大腿部レスト６２の下方位置で下腿部レスト６３が鋭角状に折れ曲がり、その下腿部レスト６３の裏側に足部レスト６４が折り畳まれるが、足部レスト６４が図１２のように折り畳まれるとき可動フレーム３０が足部レスト６４に干渉せぬよう、足部レスト６４には可動フレーム３０の部位を受け入れる図示せぬスリットが形成される。又、本例でも大腿部レスト６２に開閉自在な図示せぬ開口部が形成されると共に、架台１０を構成するベースフレーム２０には、床板フレーム６が椅子形に屈曲したとき上記開口部に対応する位置に便器Ｓが設けられる。
【００５４】
ここに、本例では背部レスト６１の旋回動作に連動して可動フレーム３０が昇降する構成とされることから、床板フレーム６が図１１のようにフラット状に展開されてベッド形とされたときには、床板フレーム６の位置が高くなって介護者が腰を曲げずに横臥者を介護することが可能となり、椅子形では大腿部レスト６２が低くなるため着座姿勢の要介護者（着座者）が足を着地させることが可能となる。
【００５５】
以上、本発明ついて説明したが、係るベッドは上記のような構成に限らず、例えばシリンダ装置５に代えてモータを用い、当該モータで作動板４２，６６を旋回させるようにするなどしてもよい。
【図面の簡単な説明】
【００５６】
【図１】本発明に係る椅子兼用ベッドを示す側面図（ベッド形の状態）
【図２】架台を構成するベースフレームの側面図
【図３】図２のＡ−Ａ拡大断面図
【図４】架台を構成する可動フレームの側面図
【図５】図４のＢ−Ｂ拡大断面図
【図６】背部レストの正面図
【図７】背部レストの側面図
【図８】可動フレームの部分拡大図
【図９】足部レストと可動フレームの連結部分を示す拡大図
【図１０】本発明に係る椅子兼用ベッドの動作説明図
【図１１】本発明に係る椅子兼用ベッドの変更例を示す側面図（ベッド形の状態）
【図１２】本発明に係る椅子兼用ベッドの変更例を示す側面図（椅子形の状態）
【符号の説明】
【００５７】
１，１０  架台
２，２０  ベースフレーム
３，３０  可動フレーム
４０  リンク機構
４２  作動板
４３  揺動リンク
５  シリンダ装置（駆動源）
５１  伸縮ロッド部
６  床板フレーム
６１  背部レスト
６２  大腿部レスト
６３  下腿部レスト
６４  足部レスト
６６  作動板
６９，Ｈ  ヒンジ部材
７  伝動リンク
８  連接杆
Ｓ  便器
【図１】
2008073420.tif 000003
【図２】
2008073420.tif 000004
【図３】
2008073420.tif 000005
【図４】
2008073420.tif 000006
【図５】
2008073420.tif 000007
【図６】
2008073420.tif 000008
【図７】
2008073420.tif 000009
【図８】
2008073420.tif 000010
【図９】
2008073420.tif 000011
【図１０】
2008073420.tif 000012
【図１１】
2008073420.tif 000013
【図１２】
2008073420.tif 000014